(57)【要約】【課題】分割キー部材のいずれかが引っ掛かって挿入できなくなったときに、その引っ掛かりを解消し易くする。【解決手段】外嵌部材２と内嵌部材３とを互いに嵌合させた後、分割キー部材１５の複数個を、開口部１６を通して内向き周溝１１と外向き周溝８との間に挿入することにより、外嵌部材と内嵌部材とを柱状体長手方向に互いに係合させる柱状体の接続工法であって、分割キー部材の複数個を、各分割キー部材が内向き周溝と外向き周溝との間に挿入可能な姿勢に姿勢変更自在に予め互いに連係しておいて、内向き周溝と外向き周溝とに亘って順に装着する。【選択図】図５
2012067599.tif 000002
【特許請求の範囲】
【請求項１】
外嵌部材と内嵌部材とを両端部に振り分けて夫々備えている一対の基礎杭どうしを、一方の基礎杭の前記外嵌部材と他方の基礎杭の前記内嵌部材とを互いに嵌合させた後、基礎杭長手方向に互いに係合させて接続するために、
前記外嵌部材の内周側に内向き周溝を形成しておくと共に、前記内嵌部材の外周側に外向き周溝を形成しておき、更に、
前記外嵌部材と前記内嵌部材とを互いに嵌合させた状態で、前記内向き周溝と前記外向き周溝とに亘って装着するキー部材を、基礎杭周方向で複数個の分割キー部材で構成すると共に、
前記外嵌部材と前記内嵌部材とを互いに嵌合させた状態で、前記外向き周溝の一部を外方に臨ませるための開口部を、前記外嵌部材に形成しておき、
前記外嵌部材と前記内嵌部材とを互いに嵌合させた後、前記分割キー部材の夫々を、前記開口部を通して前記内向き周溝と前記外向き周溝との間に挿入することにより、前記内向き周溝と前記外向き周溝とに亘って装着して、前記外嵌部材と前記内嵌部材とを基礎杭長手方向に互いに係合させる基礎杭の接続工法であって、
前記分割キー部材の夫々において、挿入方向前方側の前面及び挿入方向後方側の後面を、挿入方向前方側に向けて凸曲する円弧状に形成し、
前記分割キー部材の複数個を、各前記分割キー部材が前記内向き周溝と前記外向き周溝との間に挿入可能な姿勢に姿勢変更自在に予め互いに連係しておいて、前記内向き周溝と前記外向き周溝とに亘って順に装着する基礎杭の接続工法。
【請求項２】
外嵌部材と内嵌部材とを両端部に振り分けて夫々備えている一対の基礎杭どうしを、一方の基礎杭の前記外嵌部材と他方の基礎杭の前記内嵌部材とを互いに嵌合させた後、基礎杭長手方向に互いに係合させて接続するために、
前記外嵌部材の内周側に内向き周溝を形成しておくと共に、前記内嵌部材の外周側に外向き周溝を形成しておき、更に、
前記外嵌部材と前記内嵌部材とを互いに嵌合させた状態で、前記内向き周溝と前記外向き周溝とに亘って装着するキー部材を、基礎杭周方向で複数個の分割キー部材で構成すると共に、
前記外嵌部材と前記内嵌部材とを互いに嵌合させた状態で、前記外向き周溝の一部を外方に臨ませるための開口部を、前記外嵌部材に形成しておき、
前記外嵌部材と前記内嵌部材とを互いに嵌合させた後、前記分割キー部材の夫々を、前記開口部を通して前記内向き周溝と前記外向き周溝との間に挿入することにより、前記内向き周溝と前記外向き周溝とに亘って装着して、前記外嵌部材と前記内嵌部材とを基礎杭長手方向に互いに係合させる基礎杭の接続工法であって、
隣り合う前記分割キー部材どうしを前記分割キー部材とは別体である連結部材で夫々連結することによって、前記分割キー部材の複数個を、各前記分割キー部材が前記内向き周溝と前記外向き周溝との間に挿入可能な姿勢に姿勢変更自在に予め互いに連係しておいて、前記内向き周溝と前記外向き周溝とに亘って順に装着する基礎杭の接続工法。
【請求項３】
外嵌部材と内嵌部材とを両端部に振り分けて夫々備えている一対の基礎杭どうしを、一方の基礎杭の前記外嵌部材と他方の基礎杭の前記内嵌部材とを互いに嵌合させた後、基礎杭長手方向に互いに係合させて接続するために、
前記外嵌部材の内周側に内向き周溝を形成しておくと共に、前記内嵌部材の外周側に外向き周溝を形成しておき、更に、
前記外嵌部材と前記内嵌部材とを互いに嵌合させた状態で、前記内向き周溝と前記外向き周溝とに亘って装着するキー部材を、基礎杭周方向で複数個の分割キー部材で構成すると共に、
前記外嵌部材と前記内嵌部材とを互いに嵌合させた状態で、前記外向き周溝の一部を外方に臨ませるための開口部を、前記外嵌部材に形成しておき、
前記外嵌部材と前記内嵌部材とを互いに嵌合させた後、前記分割キー部材の夫々を、前記開口部を通して前記内向き周溝と前記外向き周溝との間に挿入することにより、前記内向き周溝と前記外向き周溝とに亘って装着して、前記外嵌部材と前記内嵌部材とを基礎杭長手方向に互いに係合させる基礎杭の接続工法であって、
前記分割キー部材の夫々に同芯状に貫通孔を形成しておき、
前記貫通孔に索条体を挿通しながら、隣り合う前記分割キーどうしの間において前記索条体に前記貫通孔の端部と係合可能な結び目を設けて、前記分割キー部材の複数個を、各前記分割キー部材が前記内向き周溝と前記外向き周溝との間に挿入可能な姿勢に姿勢変更自在に予め互いに連係しておいて、前記内向き周溝と前記外向き周溝とに亘って順に装着する基礎杭の接続工法。
【請求項４】
外嵌部材と内嵌部材とを両端部に振り分けて夫々備えている一対の基礎杭どうしを、一方の基礎杭の前記外嵌部材と他方の基礎杭の前記内嵌部材とを互いに嵌合させた後、基礎杭長手方向に互いに係合させて接続するために、
前記外嵌部材の内周側に内向き周溝を形成しておくと共に、前記内嵌部材の外周側に外向き周溝を形成しておき、更に、
前記外嵌部材と前記内嵌部材とを互いに嵌合させた状態で、前記内向き周溝と前記外向き周溝とに亘って装着するキー部材を、基礎杭周方向で複数個の分割キー部材で構成すると共に、
前記外嵌部材と前記内嵌部材とを互いに嵌合させた状態で、前記外向き周溝の一部を外方に臨ませるための開口部を、前記外嵌部材に形成しておき、
前記外嵌部材と前記内嵌部材とを互いに嵌合させた後、前記分割キー部材の夫々を、前記開口部を通して前記内向き周溝と前記外向き周溝との間に挿入することにより、前記内向き周溝と前記外向き周溝とに亘って装着して、前記外嵌部材と前記内嵌部材とを基礎杭長手方向に互いに係合させる基礎杭の接続工法であって、
前記分割キー部材の挿入方向前方側に、互いに係合可能な係合用凸部及び係合用凹部の一方を一体的に形成し、かつ、前記分割キー部材の挿入方向後方側に、前記係合用凸部及び前記係合用凹部の他方を一体的に形成し、前記係合用凸部と前記係合用凹部とを係合させて隣り合う前記分割キー部材どうしを連結することによって、前記分割キー部材の複数個を、各前記分割キー部材が前記内向き周溝と前記外向き周溝との間に挿入可能な姿勢に姿勢変更自在に予め互いに連係しておいて、前記内向き周溝と前記外向き周溝とに亘って順に装着する基礎杭の接続工法。
【請求項５】
外嵌部材と内嵌部材とを両端部に振り分けて設けてあり、前記外嵌部材の内周側には内向き周溝を形成してあると共に、前記内嵌部材の外周側には外向き周溝を形成してある基礎杭と、
一対の基礎杭を基礎杭長手方向に互いに係合させて接続するために、一方の基礎杭の前記外嵌部材と他方の基礎杭の前記内嵌部材とを互いに嵌合させた状態で、前記内向き周溝と前記外向き周溝とに亘って装着するキー部材とを備え、
前記キー部材は、基礎杭周方向で複数個の分割キー部材で構成してあり、
前記外嵌部材には、前記外嵌部材と前記内嵌部材とを互いに嵌合させた状態で、前記外向き周溝の溝長手方向における一部を外方に臨ませるための開口部を形成してあり、
前記外嵌部材と前記内嵌部材とを互いに嵌合させた後、前記分割キー部材の夫々を、前記開口部を通して前記内向き周溝と前記外向き周溝との間に挿入することにより、前記内向き周溝と前記外向き周溝とに亘って装着して、前記外嵌部材と前記内嵌部材とを基礎杭長手方向に互いに係合可能に構成してある基礎杭セットであって、
前記複数個の分割キー部材どうしは、前記内向き周溝と前記外向き周溝との間に挿入可能に、連係機構を介して予め互いに連係させてあり、
前記分割キー部材の夫々において、挿入方向前方側の前面及び挿入方向後方側の後面を、挿入方向前方側に向けて凸曲する円弧状に形成してある基礎杭セット。
【請求項６】
外嵌部材と内嵌部材とを両端部に振り分けて設けてあり、前記外嵌部材の内周側には内向き周溝を形成してあると共に、前記内嵌部材の外周側には外向き周溝を形成してある基礎杭と、
一対の基礎杭を基礎杭長手方向に互いに係合させて接続するために、一方の基礎杭の前記外嵌部材と他方の基礎杭の前記内嵌部材とを互いに嵌合させた状態で、前記内向き周溝と前記外向き周溝とに亘って装着するキー部材とを備え、
前記キー部材は、基礎杭周方向で複数個の分割キー部材で構成してあり、
前記外嵌部材には、前記外嵌部材と前記内嵌部材とを互いに嵌合させた状態で、前記外向き周溝の溝長手方向における一部を外方に臨ませるための開口部を形成してあり、
前記外嵌部材と前記内嵌部材とを互いに嵌合させた後、前記分割キー部材の夫々を、前記開口部を通して前記内向き周溝と前記外向き周溝との間に挿入することにより、前記内向き周溝と前記外向き周溝とに亘って装着して、前記外嵌部材と前記内嵌部材とを基礎杭長手方向に互いに係合可能に構成してある基礎杭セットであって、
前記複数個の分割キー部材どうしは、隣り合う前記分割キー部材どうしを前記分割キー部材とは別体である連結部材で夫々連結することによって、前記内向き周溝と前記外向き周溝との間に挿入可能に予め互いに連係させてある基礎杭セット。
【請求項７】
外嵌部材と内嵌部材とを両端部に振り分けて設けてあり、前記外嵌部材の内周側には内向き周溝を形成してあると共に、前記内嵌部材の外周側には外向き周溝を形成してある基礎杭と、
一対の基礎杭を基礎杭長手方向に互いに係合させて接続するために、一方の基礎杭の前記外嵌部材と他方の基礎杭の前記内嵌部材とを互いに嵌合させた状態で、前記内向き周溝と前記外向き周溝とに亘って装着するキー部材とを備え、
前記キー部材は、基礎杭周方向で複数個の分割キー部材で構成してあり、
前記外嵌部材には、前記外嵌部材と前記内嵌部材とを互いに嵌合させた状態で、前記外向き周溝の溝長手方向における一部を外方に臨ませるための開口部を形成してあり、
前記外嵌部材と前記内嵌部材とを互いに嵌合させた後、前記分割キー部材の夫々を、前記開口部を通して前記内向き周溝と前記外向き周溝との間に挿入することにより、前記内向き周溝と前記外向き周溝とに亘って装着して、前記外嵌部材と前記内嵌部材とを基礎杭長手方向に互いに係合可能に構成してある基礎杭セットであって、
前記分割キー部材の夫々に貫通孔を同芯状に形成し、前記複数個の分割キー部材どうしは、前記内向き周溝と前記外向き周溝との間に挿入可能に、索条体を前記貫通孔に挿通して予め互いに連係させてあり、
隣り合う前記分割キーどうしの間において、前記索条体に、前記貫通孔の端部と係合可能な結び目を設けてある基礎杭セット。
【請求項８】
外嵌部材と内嵌部材とを両端部に振り分けて設けてあり、前記外嵌部材の内周側には内向き周溝を形成してあると共に、前記内嵌部材の外周側には外向き周溝を形成してある基礎杭と、
一対の基礎杭を基礎杭長手方向に互いに係合させて接続するために、一方の基礎杭の前記外嵌部材と他方の基礎杭の前記内嵌部材とを互いに嵌合させた状態で、前記内向き周溝と前記外向き周溝とに亘って装着するキー部材とを備え、
前記キー部材は、基礎杭周方向で複数個の分割キー部材で構成してあり、
前記外嵌部材には、前記外嵌部材と前記内嵌部材とを互いに嵌合させた状態で、前記外向き周溝の溝長手方向における一部を外方に臨ませるための開口部を形成してあり、
前記外嵌部材と前記内嵌部材とを互いに嵌合させた後、前記分割キー部材の夫々を、前記開口部を通して前記内向き周溝と前記外向き周溝との間に挿入することにより、前記内向き周溝と前記外向き周溝とに亘って装着して、前記外嵌部材と前記内嵌部材とを基礎杭長手方向に互いに係合可能に構成してある基礎杭セットであって、
前記分割キー部材の挿入方向前方側に、互いに係合可能な係合用凸部及び係合用凹部の一方を一体的に形成し、かつ、前記分割キー部材の挿入方向後方側に、前記係合用凸部及び前記係合用凹部の他方を一体的に形成し、
前記複数個の分割キー部材どうしは、前記係合用凸部と前記係合用凹部とを係合させて隣り合う前記分割キー部材どうしを連結することによって、前記内向き周溝と前記外向き周溝との間に挿入可能に予め互いに連係させてある基礎杭セット。
【請求項９】
請求項５から８の何れか一項に記載の基礎杭セットに備えたキー部材。
【発明の詳細な説明】
【技術分野】
【０００１】
本発明は、外嵌部材と内嵌部材とを両端部に振り分けて夫々備えている一対の基礎杭どうしを、一方の基礎杭の前記外嵌部材と他方の基礎杭の前記内嵌部材とを互いに嵌合させた後、基礎杭長手方向に互いに係合させて接続するために、前記外嵌部材の内周側に内向き周溝を形成しておくと共に、前記内嵌部材の外周側に外向き周溝を形成しておき、更に、前記外嵌部材と前記内嵌部材とを互いに嵌合させた状態で、前記内向き周溝と前記外向き周溝とに亘って装着するキー部材を、基礎杭周方向で複数個の分割キー部材で構成すると共に、前記外嵌部材と前記内嵌部材とを互いに嵌合させた状態で、前記外向き周溝の一部を外方に臨ませるための開口部を、前記外嵌部材に形成しておき、前記外嵌部材と前記内嵌部材とを互いに嵌合させた後、前記分割キー部材の夫々を、前記開口部を通して前記内向き周溝と前記外向き周溝との間に挿入することにより、前記内向き周溝と前記外向き周溝とに亘って装着して、前記外嵌部材と前記内嵌部材とを基礎杭長手方向に互いに係合させる基礎杭の接続工法、及び、  外嵌部材と内嵌部材とを両端部に振り分けて設けてあり、前記外嵌部材の内周側には内向き周溝を形成してあると共に、前記内嵌部材の外周側には外向き周溝を形成してある基礎杭と、一対の基礎杭を基礎杭長手方向に互いに係合させて接続するために、一方の基礎杭の前記外嵌部材と他方の基礎杭の前記内嵌部材とを互いに嵌合させた状態で、前記内向き周溝と前記外向き周溝とに亘って装着するキー部材とを備え、前記キー部材は、基礎杭周方向で複数個の分割キー部材で構成してあり、前記外嵌部材には、前記外嵌部材と前記内嵌部材とを互いに嵌合させた状態で、前記外向き周溝の溝長手方向における一部を外方に臨ませるための開口部を形成してあり、前記外嵌部材と前記内嵌部材とを互いに嵌合させた後、前記分割キー部材の夫々を、前記開口部を通して前記内向き周溝と前記外向き周溝との間に挿入することにより、前記内向き周溝と前記外向き周溝とに亘って装着して、前記外嵌部材と前記内嵌部材とを基礎杭長手方向に互いに係合可能に構成してある基礎杭セット、及び、その基礎杭セットに備えたキー部材に関する。
【背景技術】
【０００２】
上記基礎杭の接続工法、及び、上記基礎杭セットでは、従来、一対の基礎杭を基礎杭長手方向に互いに係合させて接続するために、一方の基礎杭の外嵌部材と他方の基礎杭の内嵌部材とを互いに嵌合させた状態で、分割キー部材の一つずつを、開口部を通して内向き周溝と外向き周溝との間に挿入することにより、後続して装着する後続分割キー部材で先行して装着してある先行分割キー部材を挿入する状態で、内向き周溝と外向き周溝とに亘って装着できるようにしてある。
また、後続分割キー部材で先行分割キー部材を挿入するにあたって、後続分割キー部材を装着してから先行分割キー部材にボルト連結して挿入することも行われている（例えば、特許文献１参照）。
【先行技術文献】
【特許文献】
【０００３】
【特許文献１】特許第３２２８６９１号公報
【発明の概要】
【発明が解決しようとする課題】
【０００４】
外嵌部材と内嵌部材とを互いに嵌合させた状態で、分割キー部材の一つずつを、後続分割キー部材で先行分割キー部材を挿入する状態で、内向き周溝と外向き周溝とに亘って装着できるようにしてあるので、先行分割キー部材のいずれかが内向き周溝や外向き周溝の溝周面などに引っ掛かって挿入できなくなると、その先行分割キー部材を開口部側に引き戻すことも、それ以外の先行分割キー部材や後続分割キー部材を所定位置に装着することもできなくなるおそれがある。
この点、後続分割キー部材を先行分割キー部材にボルト連結してから挿入するようにしてある場合は、先行分割キー部材が引っ掛かって挿入できなくなったときは、その引っ掛かりを解消するべく、後続分割キー部材を使って先行分割キー部材を動かすことができるが、分割キー部材の一つずつを、外方に臨ませた外向き周溝部分に装着してから先行分割キー部材にボルト連結する必要があり、分割キー部材の装着作業が煩雑化する欠点がある。
本発明は上記実情に鑑みてなされたものであって、分割キー部材の装着作業を煩雑化することなく、分割キー部材のいずれかが内向き周溝と外向き周溝との間で引っ掛かって挿入できなくなったときに、その引っ掛かりを解消し易くすることを目的とする。
【課題を解決するための手段】
【０００５】
本発明に係る基礎杭の接続工法の特徴構成は、外嵌部材と内嵌部材とを両端部に振り分けて夫々備えている一対の基礎杭どうしを、一方の基礎杭の前記外嵌部材と他方の基礎杭の前記内嵌部材とを互いに嵌合させた後、基礎杭長手方向に互いに係合させて接続するために、前記外嵌部材の内周側に内向き周溝を形成しておくと共に、前記内嵌部材の外周側に外向き周溝を形成しておき、更に、前記外嵌部材と前記内嵌部材とを互いに嵌合させた状態で、前記内向き周溝と前記外向き周溝とに亘って装着するキー部材を、基礎杭周方向で複数個の分割キー部材で構成すると共に、前記外嵌部材と前記内嵌部材とを互いに嵌合させた状態で、前記外向き周溝の一部を外方に臨ませるための開口部を、前記外嵌部材に形成しておき、前記外嵌部材と前記内嵌部材とを互いに嵌合させた後、前記分割キー部材の夫々を、前記開口部を通して前記内向き周溝と前記外向き周溝との間に挿入することにより、前記内向き周溝と前記外向き周溝とに亘って装着して、前記外嵌部材と前記内嵌部材とを基礎杭長手方向に互いに係合させる基礎杭の接続工法であって、
前記分割キー部材の夫々において、挿入方向前方側の前面及び挿入方向後方側の後面を、挿入方向前方側に向けて凸曲する円弧状に形成し、
前記分割キー部材の複数個を、各前記分割キー部材が前記内向き周溝と前記外向き周溝との間に挿入可能な姿勢に姿勢変更自在に予め互いに連係しておいて、前記内向き周溝と前記外向き周溝とに亘って順に装着する点にある。
【０００６】
本発明に係る基礎杭の接続工法の別の特徴構成は、外嵌部材と内嵌部材とを両端部に振り分けて夫々備えている一対の基礎杭どうしを、一方の基礎杭の前記外嵌部材と他方の基礎杭の前記内嵌部材とを互いに嵌合させた後、基礎杭長手方向に互いに係合させて接続するために、前記外嵌部材の内周側に内向き周溝を形成しておくと共に、前記内嵌部材の外周側に外向き周溝を形成しておき、更に、前記外嵌部材と前記内嵌部材とを互いに嵌合させた状態で、前記内向き周溝と前記外向き周溝とに亘って装着するキー部材を、基礎杭周方向で複数個の分割キー部材で構成すると共に、前記外嵌部材と前記内嵌部材とを互いに嵌合させた状態で、前記外向き周溝の一部を外方に臨ませるための開口部を、前記外嵌部材に形成しておき、前記外嵌部材と前記内嵌部材とを互いに嵌合させた後、前記分割キー部材の夫々を、前記開口部を通して前記内向き周溝と前記外向き周溝との間に挿入することにより、前記内向き周溝と前記外向き周溝とに亘って装着して、前記外嵌部材と前記内嵌部材とを基礎杭長手方向に互いに係合させる基礎杭の接続工法であって、
隣り合う前記分割キー部材どうしを前記分割キー部材とは別体である連結部材で夫々連結することによって、前記分割キー部材の複数個を、各前記分割キー部材が前記内向き周溝と前記外向き周溝との間に挿入可能な姿勢に姿勢変更自在に予め互いに連係しておいて、前記内向き周溝と前記外向き周溝とに亘って順に装着する点にある。
【０００７】
本発明に係る基礎杭の接続工法のさらに別の特徴構成は、外嵌部材と内嵌部材とを両端部に振り分けて夫々備えている一対の基礎杭どうしを、一方の基礎杭の前記外嵌部材と他方の基礎杭の前記内嵌部材とを互いに嵌合させた後、基礎杭長手方向に互いに係合させて接続するために、前記外嵌部材の内周側に内向き周溝を形成しておくと共に、前記内嵌部材の外周側に外向き周溝を形成しておき、更に、前記外嵌部材と前記内嵌部材とを互いに嵌合させた状態で、前記内向き周溝と前記外向き周溝とに亘って装着するキー部材を、基礎杭周方向で複数個の分割キー部材で構成すると共に、前記外嵌部材と前記内嵌部材とを互いに嵌合させた状態で、前記外向き周溝の一部を外方に臨ませるための開口部を、前記外嵌部材に形成しておき、前記外嵌部材と前記内嵌部材とを互いに嵌合させた後、前記分割キー部材の夫々を、前記開口部を通して前記内向き周溝と前記外向き周溝との間に挿入することにより、前記内向き周溝と前記外向き周溝とに亘って装着して、前記外嵌部材と前記内嵌部材とを基礎杭長手方向に互いに係合させる基礎杭の接続工法であって、
前記分割キー部材の夫々に同芯状に貫通孔を形成しておき、
前記貫通孔に索条体を挿通しながら、隣り合う前記分割キーどうしの間において前記索条体に前記貫通孔の端部と係合可能な結び目を設けて、前記分割キー部材の複数個を、各前記分割キー部材が前記内向き周溝と前記外向き周溝との間に挿入可能な姿勢に姿勢変更自在に予め互いに連係しておいて、前記内向き周溝と前記外向き周溝とに亘って順に装着する点にある。
【０００８】
本発明に係る基礎杭の接続工法のさらに別の特徴構成は、外嵌部材と内嵌部材とを両端部に振り分けて夫々備えている一対の基礎杭どうしを、一方の基礎杭の前記外嵌部材と他方の基礎杭の前記内嵌部材とを互いに嵌合させた後、基礎杭長手方向に互いに係合させて接続するために、前記外嵌部材の内周側に内向き周溝を形成しておくと共に、前記内嵌部材の外周側に外向き周溝を形成しておき、更に、前記外嵌部材と前記内嵌部材とを互いに嵌合させた状態で、前記内向き周溝と前記外向き周溝とに亘って装着するキー部材を、基礎杭周方向で複数個の分割キー部材で構成すると共に、前記外嵌部材と前記内嵌部材とを互いに嵌合させた状態で、前記外向き周溝の一部を外方に臨ませるための開口部を、前記外嵌部材に形成しておき、前記外嵌部材と前記内嵌部材とを互いに嵌合させた後、前記分割キー部材の夫々を、前記開口部を通して前記内向き周溝と前記外向き周溝との間に挿入することにより、前記内向き周溝と前記外向き周溝とに亘って装着して、前記外嵌部材と前記内嵌部材とを基礎杭長手方向に互いに係合させる基礎杭の接続工法であって、
前記分割キー部材の挿入方向前方側に、互いに係合可能な係合用凸部及び係合用凹部の一方を一体的に形成し、かつ、前記分割キー部材の挿入方向後方側に、前記係合用凸部及び前記係合用凹部の他方を一体的に形成し、前記係合用凸部と前記係合用凹部とを係合させて隣り合う前記分割キー部材どうしを連結することによって、前記分割キー部材の複数個を、各前記分割キー部材が前記内向き周溝と前記外向き周溝との間に挿入可能な姿勢に姿勢変更自在に予め互いに連係しておいて、前記内向き周溝と前記外向き周溝とに亘って順に装着する点にある。
【０００９】
〔作用及び効果〕
分割キー部材の複数個を、各分割キー部材が内向き周溝と外向き周溝との間に挿入可能な姿勢に姿勢変更自在に予め互いに連係しておいて、それらの分割キー部材を、内向き周溝と外向き周溝との間に挿入することにより、内向き周溝と外向き周溝とに亘って順に装着する。
従って、分割キー部材の一つずつを、外方に臨んでいる外向き周溝部分に装着してから先行分割キー部材にボルト連結するような煩雑な作業を要することなく、つまり、分割キー部材の装着作業を煩雑化することなく、分割キー部材のいずれかが引っ掛かって挿入できなくなったときは、その引っ掛かりを解消するべく、内向き周溝と外向き周溝との間に挿入する前の分割キー部材を使って、先行分割キー部材を動かして、引っ掛かりを解消し易い。
【００１０】
本発明に係る基礎杭セットの特徴構成は、外嵌部材と内嵌部材とを両端部に振り分けて設けてあり、前記外嵌部材の内周側には内向き周溝を形成してあると共に、前記内嵌部材の外周側には外向き周溝を形成してある基礎杭と、一対の基礎杭を基礎杭長手方向に互いに係合させて接続するために、一方の基礎杭の前記外嵌部材と他方の基礎杭の前記内嵌部材とを互いに嵌合させた状態で、前記内向き周溝と前記外向き周溝とに亘って装着するキー部材とを備え、前記キー部材は、基礎杭周方向で複数個の分割キー部材で構成してあり、前記外嵌部材には、前記外嵌部材と前記内嵌部材とを互いに嵌合させた状態で、前記外向き周溝の溝長手方向における一部を外方に臨ませるための開口部を形成してあり、前記外嵌部材と前記内嵌部材とを互いに嵌合させた後、前記分割キー部材の夫々を、前記開口部を通して前記内向き周溝と前記外向き周溝との間に挿入することにより、前記内向き周溝と前記外向き周溝とに亘って装着して、前記外嵌部材と前記内嵌部材とを基礎杭長手方向に互いに係合可能に構成してある基礎杭セットであって、
前記複数個の分割キー部材どうしは、前記内向き周溝と前記外向き周溝との間に挿入可能に、連係機構を介して予め互いに連係させてあり、
前記分割キー部材の夫々において、挿入方向前方側の前面及び挿入方向後方側の後面を、挿入方向前方側に向けて凸曲する円弧状に形成してある点にある。
【００１１】
本発明に係る基礎杭セットの別の特徴構成は、外嵌部材と内嵌部材とを両端部に振り分けて設けてあり、前記外嵌部材の内周側には内向き周溝を形成してあると共に、前記内嵌部材の外周側には外向き周溝を形成してある基礎杭と、一対の基礎杭を基礎杭長手方向に互いに係合させて接続するために、一方の基礎杭の前記外嵌部材と他方の基礎杭の前記内嵌部材とを互いに嵌合させた状態で、前記内向き周溝と前記外向き周溝とに亘って装着するキー部材とを備え、前記キー部材は、基礎杭周方向で複数個の分割キー部材で構成してあり、前記外嵌部材には、前記外嵌部材と前記内嵌部材とを互いに嵌合させた状態で、前記外向き周溝の溝長手方向における一部を外方に臨ませるための開口部を形成してあり、前記外嵌部材と前記内嵌部材とを互いに嵌合させた後、前記分割キー部材の夫々を、前記開口部を通して前記内向き周溝と前記外向き周溝との間に挿入することにより、前記内向き周溝と前記外向き周溝とに亘って装着して、前記外嵌部材と前記内嵌部材とを基礎杭長手方向に互いに係合可能に構成してある基礎杭セットであって、
前記複数個の分割キー部材どうしは、隣り合う前記分割キー部材どうしを前記分割キー部材とは別体である連結部材で夫々連結することによって、前記内向き周溝と前記外向き周溝との間に挿入可能に予め互いに連係させてある点にある。
【００１２】
本発明に係る基礎杭セットのさらに別の特徴構成は、外嵌部材と内嵌部材とを両端部に振り分けて設けてあり、前記外嵌部材の内周側には内向き周溝を形成してあると共に、前記内嵌部材の外周側には外向き周溝を形成してある基礎杭と、一対の基礎杭を基礎杭長手方向に互いに係合させて接続するために、一方の基礎杭の前記外嵌部材と他方の基礎杭の前記内嵌部材とを互いに嵌合させた状態で、前記内向き周溝と前記外向き周溝とに亘って装着するキー部材とを備え、前記キー部材は、基礎杭周方向で複数個の分割キー部材で構成してあり、前記外嵌部材には、前記外嵌部材と前記内嵌部材とを互いに嵌合させた状態で、前記外向き周溝の溝長手方向における一部を外方に臨ませるための開口部を形成してあり、前記外嵌部材と前記内嵌部材とを互いに嵌合させた後、前記分割キー部材の夫々を、前記開口部を通して前記内向き周溝と前記外向き周溝との間に挿入することにより、前記内向き周溝と前記外向き周溝とに亘って装着して、前記外嵌部材と前記内嵌部材とを基礎杭長手方向に互いに係合可能に構成してある基礎杭セットであって、
前記分割キー部材の夫々に貫通孔を同芯状に形成し、前記複数個の分割キー部材どうしは、前記内向き周溝と前記外向き周溝との間に挿入可能に、索条体を前記貫通孔に挿通して予め互いに連係させてあり、
隣り合う前記分割キーどうしの間において、前記索条体に、前記貫通孔の端部と係合可能な結び目を設けてある点にある。
【００１３】
本発明に係る基礎杭セットのさらに別の特徴構成は、外嵌部材と内嵌部材とを両端部に振り分けて設けてあり、前記外嵌部材の内周側には内向き周溝を形成してあると共に、前記内嵌部材の外周側には外向き周溝を形成してある基礎杭と、一対の基礎杭を基礎杭長手方向に互いに係合させて接続するために、一方の基礎杭の前記外嵌部材と他方の基礎杭の前記内嵌部材とを互いに嵌合させた状態で、前記内向き周溝と前記外向き周溝とに亘って装着するキー部材とを備え、前記キー部材は、基礎杭周方向で複数個の分割キー部材で構成してあり、前記外嵌部材には、前記外嵌部材と前記内嵌部材とを互いに嵌合させた状態で、前記外向き周溝の溝長手方向における一部を外方に臨ませるための開口部を形成してあり、前記外嵌部材と前記内嵌部材とを互いに嵌合させた後、前記分割キー部材の夫々を、前記開口部を通して前記内向き周溝と前記外向き周溝との間に挿入することにより、前記内向き周溝と前記外向き周溝とに亘って装着して、前記外嵌部材と前記内嵌部材とを基礎杭長手方向に互いに係合可能に構成してある基礎杭セットであって、
前記分割キー部材の挿入方向前方側に、互いに係合可能な係合用凸部及び係合用凹部の一方を一体的に形成し、かつ、前記分割キー部材の挿入方向後方側に、前記係合用凸部及び前記係合用凹部の他方を一体的に形成し、
前記複数個の分割キー部材どうしは、前記係合用凸部と前記係合用凹部とを係合させて隣り合う前記分割キー部材どうしを連結することによって、前記内向き周溝と前記外向き周溝との間に挿入可能に予め互いに連係させてある点にある。
【００１４】
〔作用及び効果〕
複数個の分割キー部材どうしは、内向き周溝と外向き周溝との間に挿入可能に、予め互いに連係させてあるので、分割キー部材の一つずつを、開口部を通して外方に臨んでいる外向き周溝部分に装着してから先行分割キー部材にボルト連結するような、従来行っていた煩雑な作業を要することなく、つまり、分割キー部材の装着作業を煩雑化することなく、分割キー部材のいずれかが内向き周溝と外向き周溝との間で引っ掛かって挿入できなくなったときは、予め互いに連係させてある複数個の分割キー部材を動かして姿勢を変化させることにより、その引っ掛かりを解消し易い。
【００１５】
本発明に係るキー部材の特徴構成は、請求項５から８の何れか一項に記載の基礎杭セットに備えたキー部材である点にある。
【００１６】
〔作用及び効果〕
互いに連係した分割キー部材どうしは、前記内向き周溝と前記外向き周溝との間における姿勢を、少なくとも上下に動かすことにより、分割キー部材のいずれかが内向き周溝と外向き周溝との間で引っ掛かって挿入できなくなったときも、その状態を解消できる。
【００１７】
尚、本発明において使用している「分割キー部材の複数個を、各分割キー部材が内向き周溝と外向き周溝との間に挿入可能な姿勢に姿勢変更自在に予め互いに連係しておく」という文言、及び、「複数個の分割キー部材どうしは、内向き周溝と外向き周溝との間に挿入可能に、予め互いに連係させてある」との文言は、少なくとも以下のａ〜ｄに記載の形態を含むこと意味している。
【００１８】
ａ．複数個の分割キー部材どうしを連結具などの連結部材で単に連結しておく形態、或いは、連結してある形態。
ｂ．複数個の分割キー部材どうしを連結部材で連結し、更に、連結部材で連結してある分割キー部材のうちの、分割キー部材列の一端に位置する分割キー部材又は両端に位置する分割キー部材に索条体を繋いでおく形態、或いは、繋いである形態。
ｃ．複数個の分割キー部材の夫々に貫通孔を形成し、索条体をそれらの貫通孔に亘って挿通して、その索条体の両端部分を分割キー部材列の両端に位置する分割キー部材から引き出しておく形態、或いは、引き出してある形態。
ｄ．複数個の分割キー部材の夫々に貫通孔を形成し、索条体をそれらの貫通孔に亘って挿通するとともに、その索条体の両端部分を分割キー部材列の両端の分割キー部材から引き出して、その分割キー部材から引き出してある索条体の両端部分の一方又は双方に、その索条体の分割キー部材からの抜け出しを阻止する規制部材、又は、索条体の分割キー部材からの抜け出しに抵抗を与える規制部材を設けておく形態、或いは、設けてある形態。
【図面の簡単な説明】
【００１９】
【図１】基礎杭セットの斜視図
【図２】要部の断面図
【図３】基礎杭セットの要部縦断面図
【図４】要部の斜視図
【図５】基礎杭セットの要部横断面図
【図６】要部の横断面図
【図７】第２実施形態を示す要部横断面図
【図８】第３実施形態を示す要部横断面図
【図９】第４実施形態を示す要部側面図
【図１０】第５実施形態を示す要部横断面図
【図１１】第６実施形態を示す要部平面図
【図１２】（イ）第７実施形態を示す要部縦断面図  （ロ）第７実施形態を示す要部横面図
【図１３】（イ）第８実施形態を示す要部縦断面図  （ロ）第８実施形態を示す要部平面図
【発明を実施するための形態】
【００２０】
以下に本発明の実施の形態を図面に基づいて説明する。
〔第１実施形態〕
図１は、本発明の基礎杭の接続工法に使用する本発明による基礎杭セットを示し、基礎杭の一例としての外周面形状が円筒状の鋼管杭Ａと、一対の鋼管杭Ａを杭長手方向に互いに係合させて接続するために装着するキー部材１５とを備えている。
【００２１】
前記鋼管杭Ａ（Ａ１，Ａ２）は、鋼管１の両端部に鋳鋼製の外嵌部材２と内嵌部材３とを振り分けて同芯状に溶接してあり、内嵌部材３を上側に位置させて地中に埋設できるように構成してある。
【００２２】
前記内嵌部材３は、図２にも示すように、鋼管１の外径と略同じ外径の基部４に、その基部４よりも外径が小径の内嵌部５を延設してある略円筒状に形成してあり、基部４の内嵌部５側に臨む端面６を、外嵌部材２の先端部分を接当させる内嵌側接当面に形成して、その内嵌側接当面６に内嵌側係合凹部７を環状に形成してあり、内嵌部５の外周側には、二条の外向き周溝８を円環状に形成してあり、内嵌部５の先端部分には内嵌側係合凸部９を環状に形成してある。
【００２３】
前記外嵌部材２は、図２にも示すように、鋼管１の外径と略同じ外径の略円筒状に形成してあり、その内周側に内嵌部５を嵌合させる外嵌部１０を形成して、外向き周溝８と略同じ深さの二条の内向き周溝１１を形成し、内嵌側接当面６に接当させる先端部分に、内嵌側係合凹部７に係合する外嵌側係合凸部１２を環状に形成し、内嵌部５の先端部分を接当させる外嵌側接当面１３に、内嵌側係合凸部９を係合させる外嵌側係合凹部１４を形成してある。
【００２４】
前記内向き周溝１１は、内嵌部５を外嵌部１０に嵌合させた状態で、外向き周溝８に対向するように円環状に形成してあり、一対の鋼管杭Ａを接続するために、一方の鋼管杭Ａの外嵌部材２と他方の鋼管杭Ａの内嵌部材３とを互いに嵌合させた状態で、内向き周溝１１と外向き周溝８とに亘ってキー部材１５を装着することにより、外嵌部材２と内嵌部材３とを鋼管杭長手方向に互いに係合できるようにしてある。
【００２５】
前記キー部材１５は、図４に示すように、杭周方向で複数個の略直方体形状の分割キー部材で構成してあり、外嵌部材２と内嵌部材３とを互いに嵌合させた状態で、これらの分割キー部材１５を内向き周溝１１と外向き周溝８との間に挿入するために、図１，図５に示すように、各外向き周溝８の溝長手方向における一部を外向き周溝９の全幅に亘って外方に臨ませるための開口部１６を、各内向き周溝１１の形成箇所に沿って、内向き周溝１１の全幅に亘って切り取った形状で、外嵌部材２の周方向で複数箇所（本実施形態では４箇所）に予め形成してある。
【００２６】
そして、図３（イ）に示すように、一方の鋼管杭Ａ１の外嵌部材２に他方の鋼管杭Ａ２の内嵌部材３を内嵌して互いに嵌合させた後、図３（ロ）に示すように、隣り合う開口部１６間における内向き周溝１１と外向き周溝８との間毎に、複数個の分割キー部材１５の夫々を、開口部１６を通して外方に臨ませた外向き周溝部分８ａに装着して、その外向き周溝部分８ａに沿って内向き周溝１１と外向き周溝８との間に挿入することにより、内向き周溝１１と外向き周溝８とに亘って跨るように装着して、外嵌部材２と内嵌部材３とを杭長手方向に互いに係合させる接続工法で、一対の鋼管杭Ａ（Ａ１，Ａ２）どうしを接続できるように構成してある。
【００２７】
尚、図１中の符号１７は、互いに接続した鋼管杭Ａ（Ａ１，Ａ２）どうしの相対回転を抑止するために、外嵌部材２と内嵌部材３とに亘って係合するようにビス止めしてある回転抑止キーである。
【００２８】
前記杭周方向で隣り合う開口部１６の間毎に装着する複数個の分割キー部材１５は、図４に示すように、各分割キー部材１５にワイヤー挿通用貫通孔３２を形成して、それらの分割キー部材１５に亘って、一連の索条体としてのワイヤー１８を予め挿通してある。
【００２９】
前記ワイヤー１８には、そのワイヤー１８を挿通してある分割キー部材１５のうちの、挿入方向前端側の分割キー部材１５ａとの接当でその分割キー部材１５ａとの相対移動を規制する規制部１９としての第１規制部材１９ａと、挿入方向後端側の分割キー部材１５ｂとの接当でその分割キー部材１５ｂとの相対移動を規制する規制部１９としての第２規制部材１９ｂとを設けてあり、第１規制部材１９ａと第２規制部材１９ｂとの間隔を、各分割キー部材１５の合計長さ以上の長さ、例えば二倍以上の長さに設定して、各分割キー部材１５が内向き周溝１１と外向き周溝８との間に挿入可能な姿勢に姿勢変更自在に挿通してある。
【００３０】
従って、複数の分割キー部材１５どうしは、連係機構Ｂとしてのワイヤー１８と規制部１９とを介して、内向き周溝１１と外向き周溝８との間に挿入可能、かつ、内向き周溝１１と外向き周溝８との間から引き戻し可能に予め互いに連係させてあり、また、内向き周溝１１と外向き周溝８との間における、挿入方向への相対移動と、引き戻し方向への相対移動とを規制可能に予め互いに連係させてある。
【００３１】
前記分割キー部材１５の夫々を内向き周溝１１と外向き周溝８とに亘って装着する方法を説明する。
図５（イ）に示すように、隣り合う開口部１６の間毎に、ワイヤー１８の端部を、一方の開口部１６から内向き周溝１１と外向き周溝８との間に挿通して他方の開口部１６から引き出した後、図５（ロ）に示すように、そのワイヤー１８を挿通してある各分割キー部材１５を、内向き周溝１１と外向き周溝８との間に挿入して、内向き周溝１１と外向き周溝８とに亘って順に装着し、その後、図５（ハ）に示すように、ワイヤー１８を切断して各分割キー部材１５から抜き取る。
【００３２】
次に、図６に示すように、各分割キー部材１５の周溝内での移動を阻止するためのＬ字状のスライドキー部材２０を開口部１６から内向き周溝１１と外向き周溝８との間に装着するとともに、隣り合うスライドキー部材２０の間に押えキー部材２１を装着して、スライドキー部材２０どうしを連結固定する連結板２２を各スライドキー部材２０にビス止めする。
【００３３】
本実施形態の基礎杭セットによれば、索条体としてのワイヤー１８を、開口部１６から内向き周溝１１と外向き周溝８との間に挿通しても、そのワイヤー１８が分割キー部材１５の装着の邪魔にならないように、分割キー部材１５の複数個に亘って、それらの分割キー部材１５が内向き周溝１１と外向き周溝８との間に挿入可能な姿勢に姿勢変更自在に、ワイヤー１８を挿通しておき、ワイヤー１８の端部を、開口部１６から内向き周溝１１と外向き周溝８との間に挿通して開口部１６から引き出した後、そのワイヤー１８を挿通してある分割キー部材１５の複数個を、外方に臨ませた外向き周溝部分８ａに装着して、その外向き周溝部分８ａに沿って内向き周溝１１と外向き周溝８との間に挿入することにより、内向き周溝１１と外向き周溝８とに亘って順に装着できる。
【００３４】
従って、分割キー部材１５の一つずつを、外方に臨んでいる外向き周溝部分８ａに装着してから先行分割キー部材にボルト連結するような、従来行っていた煩雑な作業を要することなく、つまり、分割キー部材１５の装着作業を煩雑化することなく、分割キー部材１５のいずれかが内向き周溝１１と外向き周溝８との間で引っ掛かって挿入できなくなったときは、その引っ掛かりを解消するべく、開口部１６から引き出してあるワイヤー１８を上下左右に動かすことで、分割キー部材１５と内向き周溝１１又は外向き周溝８との間のあそび（隙間）部分での分割キー部材１５の引っ掛かりを解消し易い。
【００３５】
また、ワイヤー１８として、そのワイヤー１８を挿通してある分割キー部材１５との接当で、その分割キー部材１５との相対移動を規制する規制部１９を設けてあるワイヤー１８を使用するので、ワイヤー１８を少なくとも前後方向のいずれか一方に動かすことで、そのワイヤー１８を挿通してある分割キー部材１５の全部又は一部を積極的に動かすことができ、分割キー部材１５の引っ掛かりを一層解消し易い。
【００３６】
〔第２実施形態〕
図７は、本発明による基礎杭セットを使用して鋼管杭Ａどうしを接続するにあたって、各分割キー部材１５を内向き周溝１１と外向き周溝８とに亘って装着する方法の別実施形態を示し、各分割キー部材１５を、内向き周溝１１と外向き周溝８とに亘って順に装着して、ワイヤー１８を各分割キー部材１５から抜き取った後、分割キー部材１５よりも長尺のスライドキー部材２０を開口部１６から内向き周溝１１と外向き周溝８との間に装着するとともに、スライドキー部材２０どうしを連結固定する連結板２２を各スライドキー部材２０にビス止めする。
その他の構成は第１実施形態と同様である。
【００３７】
〔第３実施形態〕
図８は、本発明による基礎杭セットのうちの、隣り合う開口部１６の間毎に装着する複数個の分割キー部材１５の別実施形態を示し、各分割キー部材１５の形状を、挿入方向前方側ほど幅狭で、かつ、前方側の前面２３ａと後方側の後面２３ｂとの夫々が挿入方向前方側に凸曲する円弧状に形成して、円環状に形成してある内向き周溝１１と外向き周溝８との間に挿入し易くしてある。
その他の構成は第１実施形態と同様である。
【００３８】
〔第４実施形態〕
図９は、本発明による基礎杭セットのうちの、隣り合う開口部１６の間毎に装着する複数個の分割キー部材１５の別実施形態を示し、各分割キー部材１５を球状に形成すると共に、分割キー部材１５どうしを、各分割キー部材１５が内向き周溝１１と外向き周溝８との間に挿入可能な姿勢に姿勢変更自在にリングやチェーンなどの連結部材２４で予め互いに連結して、内向き周溝１１と外向き周溝８との間における、挿入方向への相対移動と、引き戻し方向への相対移動とを規制可能に予め互いに連結してある。
【００３９】
そして、これらの分割キー部材１５のうちの、内向き周溝１１と外向き周溝８とに亘って最先に装着する分割キー部材１５ａ、つまり、挿入方向前端側の分割キー部材１５ａに牽引用索条体としてのワイヤー２５を連結して、複数個の分割キー部材１５どうしを、内向き周溝１１と外向き周溝８との間に挿入可能、かつ、内向き周溝１１と外向き周溝８との間から引き戻し可能に、連係機構Ｂとしての連結部材２４とワイヤー２５とを介して予め互いに連係させてある。
【００４０】
そして、ワイヤー２５を、一方の開口部１６から内向き周溝１１と外向き周溝８との間に挿通して他方の開口部１６から引き出した後、引っ張りながら、互いに連結してある複数個の分割キー部材１５を内向き周溝１１と外向き周溝８とに亘って順に装着できるように構成してある。
この場合は、開口部１６を加工し易い円形に形成できる。
その他の構成は第１実施形態と同様である。
【００４１】
本実施形態の基礎杭セットによれば、分割キー部材１５の複数個を、各分割キー部材１５が内向き周溝１１と外向き周溝８との間に挿入可能な姿勢に姿勢変更自在に予め互いに連結しておいて、それらの分割キー部材１５を、外方に臨ませた外向き周溝部分８ａに装着して、その外向き周溝部分８ａに沿って内向き周溝１１と外向き周溝８との間に挿入することにより、内向き周溝１１と外向き周溝８とに亘って順に装着できる。
【００４２】
従って、分割キー部材１５の一つずつを、外方に臨んでいる外向き周溝部分８ａに装着してから先行分割キー部材にボルト連結するような、従来行っていた煩雑な作業を要することなく、つまり、分割キー部材１５の装着作業を煩雑化することなく、分割キー部材１５のいずれかが内向き周溝１１と外向き周溝８との間で引っ掛かって挿入できなくなったときは、その引っ掛かりを解消するべく、内向き周溝１１と外向き周溝８との間に挿入前の分割キー部材１５やワイヤー２５を上下左右に動かすことで、分割キー部材１５と内向き周溝１１又は外向き周溝８との間のあそび（隙間）部分での分割キー部材１５の引っ掛かりを解消し易い。
【００４３】
また、互いに連結してある複数個の分割キー部材１５のうちの、内向き周溝１１と外向き周溝８とに亘って最先に装着する分割キー部材１５に牽引用ワイヤー２５を連結しておき、牽引用ワイヤー２５を、開口部１６から内向き周溝１１と外向き周溝８との間に挿通して開口部１６から引き出した後、互いに連結してある複数個の分割キー部材１５を内向き周溝１１と外向き周溝８とに亘って順に装着できるので、複数個の分割キー部材１５を牽引用ワイヤー２５で挿入方向に牽引することにより、その挿入方向がずれないように内向き周溝１１と外向き周溝８との間に沿って案内しながら順に装着できる。
【００４４】
〔第５実施形態〕
図１０は、本発明による基礎杭セットのうちの、隣り合う開口部１６の間毎に装着する複数個の分割キー部材１５の別実施形態を示し、各分割キー部材１５を球状に形成して、それらの分割キー部材１５に、円錐台形状の凹部２６と、その凹部２６の底部に開口する貫通孔２７とを同芯状に形成してあるとともに、各分割キー部材１５の貫通孔２７に亘ってワイヤー２８を挿通しながら、そのワイヤー２８を固く結んで形成した結び目２９を凹部２６に入り込ませて分割キー部材１５に係合させることにより、分割キー部材１５どうしを連結して、内向き周溝１１と外向き周溝８との間における、挿入方向への相対移動と、引き戻し方向への相対移動とを規制可能に予め互いに連結してある。
【００４５】
そして、挿入方向前端側のワイヤー部分２８ａを分割キー部材１５ａから延出させて、複数個の分割キー部材１５どうしを、内向き周溝１１と外向き周溝８との間に挿入可能、かつ、内向き周溝１１と外向き周溝８との間から引き戻し可能に、連係機構Ｂとしてのワイヤー２８と結び目２９とを介して予め互いに連係させてある。
この場合は、開口部１６を加工し易い円形に形成できる。
その他の構成は第１実施形態と同様である。
【００４６】
〔第６実施形態〕
図１１は、本発明による基礎杭セットのうちの、隣り合う開口部１６の間毎に装着する複数個の分割キー部材１５の別実施形態を示し、各分割キー部材１５に係合用凹部３０と係合用凸部３１とを形成して、各分割キー部材１５どうしを、係合用凹部３０に係合用凸部３１を係合させて、各分割キー部材１５が内向き周溝１１と外向き周溝８との間に挿入可能な姿勢に姿勢変更自在に予め互いに連結して、内向き周溝１１と外向き周溝８との間における、挿入方向への相対移動と、引き戻し方向への相対移動とを規制可能に予め互いに連結してある。
【００４７】
そして、複数個の分割キー部材１５どうしを、内向き周溝１１と外向き周溝８との間に挿入可能、かつ、内向き周溝１１と外向き周溝８との間から引き戻し可能に、連係機構Ｂとしての、係合用凹部３０とその係合用凹部３０に係合する係合用凸部３１とワイヤー２５とを介して予め互いに連係させてある。
その他の構成は第１実施形態と同様である。
【００４８】
〔第７実施形態〕
図１２は、本発明による基礎杭セットのうちの、互いに接続した鋼管杭Ａ（Ａ１，Ａ２）どうしの相対回転を抑止するために装着する回転抑止キー１７の別実施形態を示し、内嵌部材３における内嵌側接当面６と、その内嵌側接当面６に接当させる外嵌部材２における先端面３３との夫々に、内嵌部材３と外嵌部材２とを嵌合した状態で互いに同芯状に対向させる複数のピン穴３４ａ，３４ｂを形成してあると共に、そのピン穴３４ａ，３４ｂの夫々に回転抑止キーとしての回転抑止ピン１７を装着して、互いに接続した鋼管杭Ａ（Ａ１，Ａ２）どうしの相対回転を阻止してある。
その他の構成は第１実施形態と同様である。
【００４９】
〔第８実施形態〕
図１３は、本発明による基礎杭セットのうちの、互いに接続した鋼管杭Ａ（Ａ１，Ａ２）どうしの相対回転を抑止するために装着する回転抑止キー１７の別実施形態を示し、内嵌部材３における内嵌側接当面６と、外嵌部材２における先端面３３とが接当するように、内嵌部材３と外嵌部材２とを嵌合させてあるとともに、内嵌部材３の基部４と外嵌部材２とに亘って略矩形の回転抑止キー１７をビス止めしてある。
【００５０】
前記回転抑止キー１７には、内嵌部材３の基部４にビス止めする内嵌部材側ビス３５ａを挿通するための二つの内嵌部材側挿通孔３５ｂと、外嵌部材２にビス止めする外嵌部材側ビス３６ａを挿通するための二つの外嵌部材側挿通孔３６ｂとを形成してあり、図１３（ロ）に示すように、内嵌部材側挿通孔３５ｂは杭周方向に沿って長い長孔に形成してあり、外嵌部材側挿通孔３６ｂは、外嵌部材側ビス３６ａの外周側との間に隙間が形成される比較的大きな内径で形成してある。
その他の構成は第１実施形態と同様である。
【００５１】
〔その他の実施形態〕
１．本発明による基礎杭の接続工法又は基礎杭セットは、分割キー部材としてのリンクプレートの複数を連係機構としてのピンで連結してあるピン連結チェーンで、連係機構を介して予め互いに連係してある複数個の分割キー部材を構成してあっても良い。
２．本発明による基礎杭の接続工法又は基礎杭セットは、外向き周溝の溝長手方向における一部を外方に臨ませるための開口部を、一つの内向き周溝毎に、外嵌部材の周方向一箇所に設けてあっても良い。
３．本発明による基礎杭の接続工法又は基礎杭セットは、基礎杭を地中に建て込むために使用する建て込み治具を、その基礎杭に着脱自在に接続するために使用するものであっても良い。
つまり、外嵌部材と同様の内向き周溝を形成してある接続部を備えた建て込み治具を基礎杭の内嵌部材に接続するために使用しても良い。
この場合は、各分割キー部材を内向き周溝と外向き周溝の間から取り出して、建て込み治具を基礎杭から容易に外せるように、各分割キー部材を内向き周溝と外向き周溝とに亘って装着した後のワイヤーを切断せずに残しておくのが望ましい。
４．本発明による基礎杭の接続工法又は基礎杭セットは、複数個の分割キー部材どうしを連係する連係機構としての索条体を、金属製の鎖や針金、繊維材からなる紐やロープなどで構成してあっても良い。
５．本発明による基礎杭の接続工法又は基礎杭セットは、横断面形状が矩形の基礎杭を備えていても良い。
６．本発明による基礎杭の接続工法又は基礎杭セットは、構造物設置用の基礎杭の他、土留め用鋼管矢板，地滑り抑止杭，橋脚用柱などの基礎杭を備えていても良い。
【符号の説明】
【００５２】
２  外嵌部材
３  内嵌部材
８  外向き周溝
８ａ  外向き周溝部分
１１  内向き周溝
１５  分割キー部材
１６  開口部
Ａ  基礎杭
Ｂ  連係機構
【図１】
2012067599.tif 000003
【図２】
2012067599.tif 000004
【図３】
2012067599.tif 000005
【図４】
2012067599.tif 000006
【図５】
2012067599.tif 000007
【図６】
2012067599.tif 000008
【図７】
2012067599.tif 000009
【図８】
2012067599.tif 000010
【図９】
2012067599.tif 000011
【図１０】
2012067599.tif 000012
【図１１】
2012067599.tif 000013
【図１２】
2012067599.tif 000014
【図１３】
2012067599.tif 000015